(57)【要約】【課題】  この発明は、テレビに組み込まれ、内蔵アンテナを備えることで屋内での設置が容易なダイバーシチ受信装置であって、内蔵したアンテナが近接して配置された場合でも、高いダイバーシチゲインを得ることができるダイバーシチ受信装置を提供することを目的とする。【解決手段】  第１のブランチのアンテナ１ａ及びアンテナ１ｂの各々の利得と、第２のブランチのアンテナ１ｃ及びアンテナ１ｄの各々の利得とをそれぞれ制御し、第１のブランチの受信感度の指向性パターンの方位と第２のブランチの受信感度の指向性パターンの方位とのオフセットを略π／２となるようにした。【選択図】  図１
2008199453.tif 000002
【特許請求の範囲】
【請求項１】
水平偏波の放送電波信号を受信し、互いの受信感度の指向性パターンが異なる複数の第１のアンテナと、
前記複数の第１のアンテナの各々に対応して設けられ、前記複数の第１のアンテナの各々の利得を可変する複数の第１の可変利得器と、
前記複数の第１のアンテナで受信され、前記複数の第１の可変利得器で利得が可変された第１の受信信号の各々を加算して、第１の加算受信信号を出力する第１の加算器と、
前記複数の第１のアンテナとは異なる位置に配置され、前記水平偏波の放送電波信号を受信し、互いの受信感度の指向性パターンが異なる複数の第２のアンテナと、
前記複数の第２のアンテナの各々に対応して設けられ、前記複数の第２のアンテナの各々の利得を可変する複数の第２の可変利得器と、
前記複数の第２のアンテナで受信され、前記複数の第２の可変利得器で利得が可変された第２の受信信号の各々を加算して、第２の加算受信信号を出力する第２の加算器と、
前記第１の加算受信信号と前記第２の加算受信信号とに基づいて、ダイバーシチ合成されたダイバーシチ合成信号を出力するダイバーシチ合成回路と、
前記複数の第１の可変利得器と前記複数の第２の可変利得器とを制御するアンテナ制御部と、
からなるダイバーシチ受信装置。
【請求項２】
アンテナ制御部は、
第１の加算受信信号の受信感度の指向性パターンの方位と第２の加算受信信号の受信感度の指向性パターンの方位とが互いに異なる方向となるように制御すること
を特徴とする請求項１に記載のダイバーシチ受信装置。
【請求項３】
第１の加算受信信号の受信感度の指向性パターンの方位と第２の加算受信信号の受信感度の指向性パターンの方位との差がπ／２±π／４の範囲内であること
を特徴とする請求項２に記載のダイバーシチ受信装置。
【請求項４】
第１の加算受信信号の受信感度の指向性パターンの方位と第２の加算受信信号の受信感度の指向性パターンの方位との差がπ／２±π／８の範囲内であること
を特徴とする請求項２に記載のダイバーシチ受信装置。
【請求項５】
第１の加算受信信号の受信感度の指向性パターンの方位と第２の加算受信信号の受信感度の指向性パターンの方位との差が略π／２であること
を特徴とする請求項２に記載のダイバーシチ受信装置。
【請求項６】
アンテナ制御部は、
第１の加算受信信号に基づいて得られる第１の受信電力情報、第１の遅延プロファイル情報、及び、第１の雑音情報と、
第２の加算受信信号に基づいて得られる第２の受信電力情報、第２の遅延プロファイル情報、及び、第２の雑音情報と、
ダイバーシチ合成信号に基づいて得られる第３の雑音情報及び誤り情報と、
に基づいて制御すること
を特徴とする請求項１乃至５のいずれか１項に記載のダイバーシチ受信装置。
【請求項７】
水平偏波の放送電波信号を受信し、互いの受信感度の指向性パターンが異なる複数の第１のアンテナと、
前記複数の第１のアンテナの出力信号の各々を入力し、前記各出力信号のうちの特定の出力信号を選択する選択回路と、
前記複数の第１のアンテナとは異なる位置に配置され、前記水平偏波の放送電波信号を受信し、互いの受信感度の指向性パターンが異なる複数の第２のアンテナと、
前記複数の第２のアンテナの各々に対応して設けられ、前記複数の第２のアンテナの各々の利得を可変する複数の可変利得器と、
前記複数の第２のアンテナで受信され、前記複数の可変利得器で利得が可変された受信信号の各々を加算して、加算受信信号を出力する加算器と、
前記特定の出力信号と前記加算受信信号とに基づいて、ダイバーシチ合成されたダイバーシチ合成信号を出力するダイバーシチ合成回路と、
前記選択回路を制御するとともに、前記複数の可変利得器を制御するアンテナ制御部と、
からなるダイバーシチ受信装置。
【請求項８】
水平偏波の放送電波信号を受信する複数の第１のアンテナと、
前記複数の第１のアンテナの出力信号の各々を入力し、固定位相で合成された複数の位相合成信号を出力する位相合成器と、
前記複数の位相合成信号のうちの特定の位相合成信号を選択する選択回路と、
前記複数の第１のアンテナとは異なる位置に配置され、前記水平偏波の放送電波信号を受信し、互いの受信感度の指向性パターンが異なる複数の第２のアンテナと、
前記複数の第２のアンテナの各々に対応して設けられ、前記複数の第２のアンテナの各々の利得を可変する複数の可変利得器と、
前記複数の第２のアンテナで受信され、前記複数の可変利得器で利得が可変された受信信号の各々を加算して、加算受信信号を出力する加算器と、
前記特定の位相合成信号と前記加算受信信号とに基づいて、ダイバーシチ合成されたダイバーシチ合成信号を出力するダイバーシチ合成回路と、
前記選択回路を制御するとともに、前記複数の可変利得器を制御するアンテナ制御部と、
からなるダイバーシチ受信装置。
【請求項９】
アンテナ制御部は、
選択回路で選択された特定の位相合成信号の受信感度の指向性パターンの方位と加算受信信号の受信感度の指向性パターンの方位とが互いに異なる方向となるように制御すること
を特徴とする請求項７又は請求項８に記載のダイバーシチ受信装置。
【請求項１０】
アンテナ制御部は、
第１の選択回路で選択された特定の位相合成信号の受信感度の指向性パターンの方位と加算受信信号の受信感度の指向性パターンの方位との差が略π／２となるように制御すること
を特徴とする請求項９に記載のダイバーシチ受信装置。
【請求項１１】
アンテナ制御部は、
選択回路で選択された特定の位相合成信号に基づいて得られる第１の受信電力情報、第１の遅延プロファイル情報、及び、第１の雑音信号と、
加算受信信号に基づいて得られる第２の受信電力情報、第２の遅延プロファイル情報、及び、第２の雑音情報と、
ダイバーシチ合成信号に基づいて得られる第３の雑音情報及び誤り情報と、
に基づいて制御すること
を特徴とする請求項７乃至１０のいずれか１項に記載のダイバーシチ受信装置。
【請求項１２】
水平偏波の放送電波信号を受信する複数の第１のアンテナと、
前記複数の第１のアンテナの出力信号の各々を入力し、第１の固定位相で合成された複数の第１の位相合成信号を出力する第１の位相合成器と、
前記複数の第１の位相合成信号のうちの特定の第１の位相合成信号を選択する第１の選択回路と、
前記複数の第１のアンテナとは異なる位置に配置され、前記水平偏波の放送電波信号を受信する複数の第２のアンテナと、
前記複数の第２のアンテナの出力信号の各々を入力し、第２の固定位相で合成された複数の第２の位相合成信号を出力する第２の位相合成器と、
前記複数の第２の位相合成信号のうちの特定の第２の位相合成信号を選択する第２の選択回路と、
前記特定の第１の位相合成信号と前記特定の第２の位相合成信号とに基づいて、ダイバーシチ合成されたダイバーシチ合成信号を出力するダイバーシチ合成回路と、
前記第１の選択回路と前記第２の選択回路とを制御するアンテナ制御部と、
からなるダイバーシチ受信装置。
【請求項１３】
アンテナ制御部は、
第１の選択回路で選択された特定の第１の位相合成信号の受信感度の指向性パターンの方位と第２の選択回路で選択された特定の第２の位相合成信号の受信感度の指向性パターンの方位とが互いに異なる方向となるように制御すること
を特徴とする請求項１２に記載のダイバーシチ受信装置。
【請求項１４】
アンテナ制御部は、
第１の選択回路で選択された特定の第１の位相合成信号の受信感度の指向性パターンの方位と第２の選択回路で選択された特定の第２の位相合成信号の受信感度の指向性パターンの方位との差がπ／２に近くなるように制御すること
を特徴とする請求項１３に記載のダイバーシチ受信装置。
【請求項１５】
アンテナ制御部は、
第１の選択回路で選択された特定の第１の位相合成信号に基づいて得られる第１の受信電力情報、第１の遅延プロファイル情報、及び、第１の雑音信号と、
第２の選択回路で選択された特定の第２の位相合成信号に基づいて得られる第２の受信電力情報、第２の遅延プロファイル情報、及び、第２の雑音情報と、
ダイバーシチ合成信号に基づいて得られる第３の雑音情報及び誤り情報と、
に基づいて制御すること
を特徴とする請求項１２乃至１４のいずれか１項に記載のダイバーシチ受信装置。
【請求項１６】
水平偏波の放送電波信号を受信する複数の第１のアンテナと、
前記複数の第１のアンテナの出力信号の各々を入力し、固定位相で合成された複数の位相合成信号を出力する位相合成器と、
前記複数の位相合成信号のうちの特定の位相合成信号を選択する第１の選択回路と、
前記複数の第１のアンテナとは異なる位置に配置され、前記水平偏波の放送電波信号を受信する複数の第２のアンテナと、
前記複数の第２のアンテナの出力信号の各々を入力し、前記複数の第２のアンテナの出力信号のうちの特定の第２のアンテナの出力信号を選択する第２の選択回路と、
前記特定の位相合成信号と前記特定の第２のアンテナの出力信号とに基づいて、ダイバーシチ合成されたダイバーシチ合成信号を出力するダイバーシチ合成回路と、
前記第１の選択回路と前記第２の選択回路とを制御するアンテナ制御部と、
からなるダイバーシチ受信装置。
【請求項１７】
アンテナ制御部は、
第１の選択回路で選択された特定の位相合成信号の受信感度の指向性パターンの方位と第２の選択回路で選択された特定の第２のアンテナの出力信号の受信感度の指向性パターンの方位とが互いに異なる方向となるように制御すること
を特徴とする請求項１６に記載のダイバーシチ受信装置。
【請求項１８】
アンテナ制御部は、
第１の選択回路で選択された特定の位相合成信号の受信感度の指向性パターンの方位と第２の選択回路で選択された特定の第２のアンテナの出力信号の受信感度の指向性パターンの方位との差がπ／２に近くなるように制御すること
を特徴とする請求項１７に記載のダイバーシチ受信装置。
【請求項１９】
アンテナ制御部は、
第１の選択回路で選択された特定の位相合成信号に基づいて得られる第１の受信電力情報、第１の遅延プロファイル情報、及び、第１の雑音信号と、
第２の選択回路で選択された特定の第２のアンテナの出力信号に基づいて得られる第２の受信電力情報、第２の遅延プロファイル情報、及び、第２の雑音情報と、
ダイバーシチ合成信号に基づいて得られる第３の雑音情報及び誤り情報と、
に基づいて制御すること
を特徴とする請求項１６乃至１８のいずれか１項に記載のダイバーシチ受信装置。
【請求項２０】
水平偏波の放送電波信号を受信する複数の第１のアンテナと、
前記複数の第１のアンテナの出力信号の各々を入力し、前記複数の第１のアンテナの出力信号のうちの特定の第１のアンテナの出力信号を選択する第１の選択回路と、
前記複数の第１のアンテナとは異なる位置に配置され、前記水平偏波の放送電波信号を受信する複数の第２のアンテナと、
前記複数の第２のアンテナの出力信号の各々を入力し、前記複数の第２のアンテナの出力信号のうちの特定の第２のアンテナの出力信号を選択する第２の選択回路と、
前記特定の第１のアンテナの出力信号と前記特定の第２のアンテナの出力信号とに基づいて、ダイバーシチ合成されたダイバーシチ合成信号を出力するダイバーシチ合成回路と、
前記第１の選択回路と前記第２の選択回路とを制御するアンテナ制御部と、
からなるダイバーシチ受信装置。
【請求項２１】
アンテナ制御部は、
第１の選択回路で選択された特定の第１のアンテナの出力信号の受信感度の指向性パターンの方位と第２の選択回路で選択された特定の第２のアンテナの出力信号の受信感度の指向性パターンの方位とが互いに異なる方向となるように制御すること
を特徴とする請求項２０に記載のダイバーシチ受信装置。
【請求項２２】
アンテナ制御部は、
第１の選択回路で選択された特定の第１のアンテナの出力信号の受信感度の指向性パターンの方位と第２の選択回路で選択された特定の第２のアンテナの出力信号の受信感度の指向性パターンの方位との差がπ／２に近くなるように制御すること
を特徴とする請求項２１に記載のダイバーシチ受信装置。
【請求項２３】
アンテナ制御部は、
第１の選択回路で選択された特定の第１のアンテナの出力信号に基づいて得られる第１の受信電力情報、第１の遅延プロファイル情報、及び、第１の雑音信号と、
第２の選択回路で選択された特定の第２のアンテナの出力信号に基づいて得られる第２の受信電力情報、第２の遅延プロファイル情報、及び、第２の雑音情報と、
ダイバーシチ合成信号に基づいて得られる第３の雑音情報及び誤り情報と、
に基づいて制御すること
を特徴とする請求項２０乃至２２のいずれか１項に記載のダイバーシチ受信装置。
【請求項２４】
複数の第１のアンテナ又は／及び複数の第２のアンテナは、水平面に対して傾きを有して設置され、垂直偏波の放送受信信号を受信すること
を特徴とする請求項１乃至２３のいずれか１項に記載のダイバーシチ受信装置。
【発明の詳細な説明】
【技術分野】
【０００１】
この発明は、デジタル通信受信装置、デジタル放送受信装置のダイバーシチ受信に関するものであり、特にテレビ等に内蔵したアンテナで地上デジタル放送を受信する装置に関する。
【背景技術】
【０００２】
屋外に設置されたアンテナを使用して、屋内に設置されたテレビでデジタル放送を受信する場合には、アンテナからテレビまで受信ケーブルを敷設する必要がある。従って、テレビを設置する部屋を変更しようとすると、既に敷設されている受信ケーブルを敷設し直す手間がかかるという問題がある。
【０００３】
そこで、屋外に設置されたアンテナを使用する代わりに、屋内用アンテナを設置して使用したり、ないしは、テレビ自体にロッドアンテナを内蔵することが行われていた。
【０００４】
しかし、デジタル放送では、アンテナで受信される受信信号は一定のレベル以上の強度が必要であり、それが保てない場合には、映像や音声が全く再生できないという問題がある。さらに、地上デジタル放送では、帯域内（５．６ＭＨｚ）の全キャリアを受信する必要があるとともに、送信局の送信電力も抑えられている。従って、アンテナの設置状態が良くない場合、アンテナで受信される受信信号の強度を一定のレベル以上に確保することは容易では無いという問題があった。
【０００５】
この改善策として、複数のアンテナを使用して得られた各受信信号をダイバーシチ合成することにより受信機のゲインを上げるダイバーシチ方式を、テレビに適用することが考えられる。ダイバーシチ受信において、複数のアンテナで受信した受信信号のうち、受信レベルの大きい受信信号を選択する方式や、複数の受信信号を合成する方式を、テレビに適用することが、車載用のテレビにおいて提案されている（例えば、特許文献１参照）。
【０００６】
また、屋内用アンテナないしはテレビ自体にロッドアンテナが内蔵されたテレビを屋内に設置する際には、アンテナないしはテレビを設置する方位を調整して設置する必要がある。デジタル放送の電波の受信状態は、天気、気温、及び、屋内の人の位置等で常に変化する。従って、良好な受信状態を維持するためには、受信状態の劣化を視聴者が認知する度に、アンテナないしはテレビ自体の方位を視聴者が調整するようにしていた。
【０００７】
この調整を不要とする改善策として、テレビの筐体の複数の面のうち、直交した方位の各面にそれぞれアンテナを配置し、受信レベルの大きいアンテナの受信信号を選択する方式を適用したテレビがある（例えば、特許文献２）。
【０００８】
また、テレビでは無いが、地上デジタル放送が受信可能な携帯電話においては、地上デジタル放送の電波が水平偏波であるのに対し、携帯電話の電波が垂直偏波である。そこで、偏波面の異なる電波のいずれに対しても良好な受信状態を得るために、互いに直交するように配置された２つのアンテナを携帯電話の筐体に固定し、携帯電話の筐体の水平面（地面）に対する傾きを計測できる角度センサで２つのアンテナのうちの一方のアンテナの受信信号の位相を制御してダイバーシチ合成する方式が適用されている（例えば、特許文献３）。
【０００９】
【特許文献１】特開２００５−２２３５１０号公報（第７〜１０頁、第３図）
【特許文献２】特開２００６−６０５５８号公報（第５〜７頁、第５図）
【特許文献３】特開２００５−３１８４０７号公報（第４〜６頁、第１図）
【発明の開示】
【発明が解決しようとする課題】
【００１０】
ところで、上記のような従来のダイバーシチ方式を適用したテレビのダイバーシチ受信装置においては、例えば、車載用のテレビで車両に複数のアンテナを搭載する場合は、アンテナ間の距離を確保することが容易であるので、アンテナ間のフェージング相関を抑制でき、高いダイバーシチゲインを得ることができる。しかし、テレビにアンテナを内蔵する場合には、アンテナ間の距離を確保することが容易でないので、高いダイバーシチゲインを得ることが困難であるという問題がある。
【００１１】
また、テレビにアンテナを内蔵するに際して、テレビの筐体の直交した方位の各面にそれぞれアンテナを配置し、受信レベルの大きいアンテナの受信信号を選択する方式を適用したとしても、片方のアンテナの寄与しか得られず、低いダイバーシチゲインしか期待できないという問題がある。
【００１２】
また、上述した地上デジタル放送が受信可能な携帯電話に適用されている方式については、異なる偏波面の電波に対して良好な受信状態を得るためには効果が期待できる。しかし、アンテナの受信感度の指向性の方位を地上デジタル放送の電波の到来する方向に調整して設定する必要があるので、視聴者が手で保持して容易にアンテナの方位を変えることが可能な携帯電話に適用する際には問題とならないが、屋内に設置されて容易に方位を調整できない据付型のテレビに対しては、適用が困難であるという問題があった。
【００１３】
この発明は、上記のような課題を解決するために為されたもので、テレビに組み込まれ、テレビに複数のアンテナが内蔵されるダイバーシチ受信装置であって、屋内での設置が容易で、ダイバーシチゲインを向上することが可能なダイバーシチ受信装置を提供することを目的とする。
【課題を解決するための手段】
【００１４】
この発明に係るダイバーシチ受信装置は、水平偏波の放送電波信号を受信し、互いの受信感度の指向性パターンが異なる複数の第１のアンテナと、前記複数の第１のアンテナの各々に対応して設けられ、前記複数の第１のアンテナの各々の利得を可変する複数の第１の可変利得器と、前記複数の第１のアンテナで受信され、前記複数の第１の可変利得器で利得が可変された第１の受信信号の各々を加算して、第１の加算受信信号を出力する第１の加算器と、前記複数の第１のアンテナとは異なる位置に配置され、前記水平偏波の放送電波信号を受信し、互いの受信感度の指向性パターンが異なる複数の第２のアンテナと、前記複数の第２のアンテナの各々に対応して設けられ、前記複数の第２のアンテナの各々の利得を可変する複数の第２の可変利得器と、前記複数の第２のアンテナで受信され、前記複数の第２の可変利得器で利得が可変された第２の受信信号の各々を加算して、第２の加算受信信号を出力する第２の加算器と、前記第１の加算受信信号と前記第２の加算受信信号とに基づいて、ダイバーシチ合成されたダイバーシチ合成信号を出力するダイバーシチ合成回路と、前記複数の第１の可変利得器と前記複数の第２の可変利得器とを制御するアンテナ制御部とからなるものである。
【発明の効果】
【００１５】
この発明によれば、複数の第１のアンテナの各々に対応して複数の第１の可変利得器を設けるとともに、複数の第２のアンテナの各々に対応して複数の第２の可変利得器を設けるようにし、複数の第１のアンテナに基づく受信感度の指向性パターンの方位と複数の第２のアンテナに基づく受信感度の指向性パターンの方位とを制御するように構成したので、テレビに内蔵したアンテナが近接して配置された場合でも、高いダイバーシチゲインを得ることができる。
【発明を実施するための最良の形態】
【００１６】
以下、この発明の実施の形態によるダイバーシチ受信装置を、地上デジタル放送を受信するテレビに複数のアンテナを内蔵した場合を例に説明する。
【００１７】
実施の形態１．
図１は、この発明に係るダイバーシチ受信装置の実施の形態１の全体構成を示す全体構成図である。
【００１８】
図１において、地上デジタル放送の電波を受信する複数の第１のアンテナであるアンテナ１ａ及びアンテナ１ｂには、アンテナの利得を可変するための可変利得器２ａ及び可変利得器２ｂがそれぞれ接続されている。アンテナ１ａ及びアンテナ１ｂは、ダイポールアンテナやポールアンテナ等の受信感度が８の字の指向性パターンを有するアンテナである。従って、アンテナ１ａ及びアンテナ１ｂは、互いに逆向きの２つの向きから到来する地上デジタル放送の電波に対して、大きな受信感度を有している。また、可変利得器２ａ及び可変利得器２ｂは、例えばピンダイオードで構成されるアッテネータを含むものである。
【００１９】
なお、建屋自体や屋内の構造物等の電波環境の影響で、垂直偏波の成分も生じることがあるが、基本的には、地上デジタル放送の放送局から送信される電波は水平偏波である。
【００２０】
可変利得器２ａ及び可変利得器２ｂのそれぞれから出力された第１の受信信号は、加算器３ａで、加算される。
【００２１】
加算器３ａで加算されて出力された第１の加算受信信号はＵＨＦ（Ｕｌｔｒａ−Ｈｉｇｈ  Ｆｒｅｑｕｅｎｃｙ）帯の信号であるので、チューナ部４ａで、ＩＦ（Ｉｎｔｅｒｍｅｄｉａｔｅ  Ｆｒｅｑｕｅｎｃｙ）またはベースバンドの第１のアナログ受信信号に変換される。
【００２２】
次に、チューナ部４ａから出力された第１のアナログ受信信号は、ＡＤ変換器５ａで、第１のデジタル受信信号に変換される。
【００２３】
さらに、第１のデジタル受信信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調回路６ａで、ＯＦＤＭの時間軸処理、ＦＦＴ（Ｆａｓｔ  Ｆｏｕｒｉｅｒ  Ｔｒａｎｓｆｏｒｍ）処理、伝送路推定処理等が施されることにより復調され、第１の復調信号として出力される。
【００２４】
以上に説明したアンテナ１ａ及びアンテナ１ｂ、可変利得器２ａ及び可変利得器２ｂ、加算器３ａ、チューナ部４ａ、ＡＤ変換器５ａ、及び、ＯＦＤＭ復調回路６ａからなる構成を、以下では、第１の復調経路または第１のブランチと呼ぶものとする。
【００２５】
さらに、この発明に係るダイバーシチ受信装置は、地上デジタル放送の電波を受信する複数の第２のアンテナであるアンテナ１ｃ及びアンテナ１ｄを備えている。
【００２６】
アンテナ１ｃ及びアンテナ１ｄには、アンテナの利得を可変するための可変利得器２ｃ及び可変利得器２ｄがそれぞれ接続されている。アンテナ１ｃ及びアンテナ１ｄは、ダイポールアンテナやポールアンテナ等の受信感度が８の字の指向性パターンを有するアンテナである。また、可変利得器２ｃ及び可変利得器２ｄは、例えばピンダイオードで構成されるアッテネータを含むものである。
【００２７】
次に、可変利得器２ｃ及び可変利得器２ｄのそれぞれから出力された第２の受信信号は、加算器３ｂで、加算される。
【００２８】
加算器３ｂで加算されて出力された第２の加算受信信号は、チューナ部４ｂで、ＩＦまたはベースバンドの第２のアナログ受信信号に変換される。
【００２９】
次に、チューナ部４ｂから出力された第２のアナログ受信信号は、ＡＤ変換器５ｂで、第２のデジタル受信信号に変換される。
【００３０】
さらに、第２のデジタル受信信号は、ＯＦＤＭ復調回路６ｂで、ＯＦＤＭの時間処理、ＦＦＴ処理、伝送路推定処理等が施されることにより復調され、第２の復調信号として出力される。
【００３１】
以上に説明したアンテナ１ｃ及びアンテナ１ｄ、可変利得器２ｃ及び可変利得器２ｄ、加算器３ｂ、チューナ部４ｂ、ＡＤ変換器５ｂ、及び、ＯＦＤＭ復調回路６ｂからなる構成を、以下では、第２の復調経路または第２のブランチと呼ぶものとする。
【００３２】
さて、第１のブランチから出力される第１の復調信号と第２のブランチから出力される第２の復調信号は、ダイバーシチ合成回路７に入力され、最大比合成が行われる。ダイバーシチ合成回路７によりダイバーシチ合成されたダイバーシチ合成信号は、誤り訂正部８に入力され、放送方式に対応した誤り訂正が施される。
【００３３】
アンテナ制御信号生成部９は、第１のブランチのＯＦＤＭ復調回路６ａにおいて得られる第１の復調信号の受信電力情報、遅延プロファイル情報、雑音情報、第２のブランチのＯＦＤＭ復調回路６ｂにおいて得られる第２の復調信号の受信電力情報、遅延プロファイル情報、雑音情報、さらに、ダイバーシチ合成回路７において得られる雑音情報、及び、誤り訂正部８において得られる誤り情報とから、アンテナの利得を制御するためのア
ンテナ制御信号を生成する。
【００３４】
アンテナ制御信号生成部９から出力されたアンテナ制御信号は、第１のブランチの可変利得器２ａ及び可変利得器２ｂと第２のブランチの可変利得器２ｃ及び可変利得器２ｄに入力されて、各々のアンテナの利得が制御される。従って、第１のブランチのアンテナ１ａ及びアンテナ１ｂで形成される第１のブランチの受信感度の指向性パターンと第２のブランチのアンテナ１ｃ及びアンテナ１ｄで形成される第２のブランチの受信感度の指向性パターンが制御される。
【００３５】
以上に説明したチューナ部４ａ及びチューナ部４ｂ、ＡＤ変換器５ａ及びＡＤ変換器５ｂ、ＯＦＤＭ復調回路６ａ及びＯＦＤＭ復調回路６ｂ、ダイバーシチ合成回路７、誤り訂正部８、及び、アンテナ制御信号生成部９とからなる構成を、以下では、デジタル信号復調部１０と呼ぶものとする。
【００３６】
図２は、この発明に係るダイバーシチ受信装置の実施の形態１をテレビに組み込んだ構成の一例を示しており、テレビの背面側から見た斜視図である。なお、図１と同一符号は同一または相当部分を示すので説明を省略する。
【００３７】
図２に示すように、テレビの背面側から見て、第１のブランチのアンテナ１ａは、テレビの天板１１ａの右端に、受信感度の指向性パターン１２ａが左右の向きとなるように設置されている。また、第１のブランチのアンテナ１ｂは、テレビの天板１１ａの背面端の右側に、受信感度の指向性パターン１２ｂが前後の向きとなるように設置されている。
【００３８】
さらに、テレビの背面側から見て、第２のブランチのアンテナ１ｃは、テレビの天板１１ａの背面端の左側に、受信感度の指向性パターン１２ｃが前後の向きとなるように設置されている。また、第２のブランチのアンテナ１ｄは、テレビの天板１１ａの左端に、受信感度の指向性パターン１２ｄが左右の向きとなるように設置されている。
【００３９】
なお、アンテナ１ａ、アンテナ１ｂ、アンテナ１ｃ、及び、アンテナ１ｄは、テレビの天板１１ａの内部ないしは外部のいずれに設けられても良い。また、アンテナ１ａ、アンテナ１ｂ、アンテナ１ｃ、及び、アンテナ１ｄのいずれも、地面に対して水平方向に配置されている。
【００４０】
図３は、アンテナ制御信号生成部９から出力されるアンテナ制御信号により、アンテナの受信感度の指向性パターンが変化する様子を説明するための受信感度の指向性パターン変化説明図である。図３（ａ）は、第１のブランチのアンテナ１ａ及びアンテナ１ｂが形成する受信感度の指向性パターンの動きを示しており、図３（ｂ）は、第２のブランチのアンテナ１ｃ及びアンテナ１ｄが形成する受信感度の指向性パターンの動きを示している。図３の上下の向きが、図２に示されたテレビの前後（前面背面）の向きにそれぞれ対応している。また、図３の左右の向きが、図２に示されたテレビの背面側から見た左右の向きにそれぞれ対応している。
【００４１】
さらに、図４は、アンテナ制御信号生成部９が可変利得器２ａ、可変利得器２ｂ、可変利得器２ｃ、及び、可変利得器２ｄの各々の利得を制御するための制御電圧と、それぞれに設定される利得との関係の一例を示す制御電圧−利得関係図である。アンテナ１ａの利得を可変する可変利得器１ａ及びアンテナ１ｃの利得を可変する可変利得器１ｃを制御するための制御電圧とアンテナ１ａ及びアンテナ１ｃのそれぞれが得られる利得との関係は、直線１３で示されている。また、アンテナ１ｂの利得を可変する可変利得器１ｂ及びアンテナ１ｄの利得を可変する可変利得器１ｄを制御するための制御電圧とアンテナ１ｂ及びアンテナ１ｄのそれぞれが得られる利得との関係は、直線１４で示されている。
【００４２】
次に、この発明に係るダイバーシチ受信装置の実施の形態１を組み込んだテレビにおいて、該ダイバーシチ受信装置の動作について、図１、図２、図３、及び、図４を用いて説明する。
【００４３】
図１において、アンテナ１ａの利得を可変する可変利得器２ａ、アンテナ１ｂの利得を可変する可変利得器２ｂ、アンテナ１ｃの利得を可変する可変利得器２ｃ、及び、アンテナ１ｄの利得を可変する可変利得器２ｄの各々は、アンテナ制御信号生成部９から出力されるそれぞれに対応したアンテナ制御信号に基づいて、各々の利得が制御される。
【００４４】
ここで、可変利得器２ａ及び可変利得器２ｃについては、アンテナ制御信号に基づいて生成する制御電圧とアンテナ１ａの利得及びアンテナ１ｃの利得とが、図２に示された直線１３に基づく関係を有している。また、可変利得器２ｂ及び可変利得器２ｄについては、アンテナ制御信号に基づいて生成する制御電圧とアンテナ１ｂの利得及びアンテナ１ｄの利得とが、図２に示された直線１４に基づく関係を有している。
【００４５】
可変利得器２ａにより利得が制御されたアンテナ１ａと可変利得器２ｂにより利得が制御されたアンテナ１ｂとから構成され、加算器３ａから出力される第１のブランチの第１の加算受信信号の受信感度の指向性パターンは、図３（ａ）の方位を向いているとする。その場合に、可変利得器２ｃにより利得が制御されたアンテナ１ｃと可変利得器２ｄにより利得が制御されたアンテナ１ｄとから構成され、加算器３ｂから出力される第２のブランチの第２の加算受信信号の受信感度の指向性パターンは、図３（ｂ）に示すように、第１のブランチの第１の加算受信信号の受信感度の指向性パターンの方位と略π／２（９０°）のオフセットを有している。
【００４６】
図４に示された制御電圧を増やすことにより、第１のブランチの第１の加算受信信号の受信感度の指向性パターンは、図３（ａ）の矢印が示すように、右回りに回り、同様に、第２のブランチの第２の加算受信信号の受信感度の指向性パターンも、図３（ｂ）の矢印が示すように、右回りに回る。その際、第１のブランチの第１の加算受信信号の受信感度の指向性パターンの方位と第２のブランチの第２の加算受信信号の受信感度の指向性パターンの方位とのオフセットは、略π／２（９０°）のままで維持されている。
【００４７】
以上のように、第１のブランチのアンテナ１ａ及びアンテナ１ｂの利得と、第２のブランチのアンテナ１ｃ及びアンテナ１ｄの利得とを制御して、ＯＦＤＭ復調回路６ａから出力される第１の復調信号とＯＦＤＭ復調回路６ｂから出力される第２の復調信号とをダイバーシチ合成回路７でダイバーシチ合成することにより得られるアンテナのダイバーシチ効果を、定量的に解析するために、受信電力がある電力以下になる確率の累積分布特性を算出した。次に、ブランチ間で平均雑音電力が等しいという仮定のもとで、２つのブランチを最大比合成した場合の累積分布特性を見積もった。
【００４８】
図５は、屋内受信実験においていずれのアンテナも地面に対して水平方向に配置された場合であって、スペクトルアナライザにより測定した所定周波数帯域（２５ｋＨｚ）当たりの受信電力に対し、受信電力がある電力値以下になる確率の累積分布特性図である。
【００４９】
図５（ａ）は、第１のブランチの第１の加算受信信号の受信感度の指向性パターンの方位が第２のブランチの第２の加算受信信号の受信感度の指向性パターンの方位と同一方向となっている場合の累積分布特性を示している。第１のブランチの累積分布特性１５と第２のブランチの累積分布特性１６とダイバーシチ合成後の累積分布特性１７とが示されている。
【００５０】
また、図５（ｂ）は、第１のブランチの第１の加算受信信号の受信感度の指向性パターンの方位が第２のブランチの第２の加算受信信号の受信感度の指向性パターンの方位と直角方向となっている場合の累積分布特性を示している。第１のブランチの累積分布特性１８と第２のブランチの累積分布特性１９とダイバーシチ合成後の累積分布特性２０とが示されている。
【００５１】
図５（ａ）と図５（ｂ）を比較するとわかるように、各ブランチの第２の加算受信信号の受信感度の指向性パターンが同一方向に配置されている場合よりも、直角方向に配置された場合の方が、受信される電力が大きくなり、ダイバーシチ合成後の累積分布特性では、一定電力以下になる確率が低くなり、受信性能が向上する。
【００５２】
上記のように、各ブランチの受信感度の指向性パターンが互いに直交するように制御することにより、ダイバーシチ合成後の利得が向上し、安定した受信を実現できる。
【００５３】
次に、この発明に係るダイバーシチ受信装置の実施の形態１の制御フローについて説明する。
【００５４】
図６は、この発明に係るダイバーシチ受信装置の実施の形態１の制御フローである。基本的な制御アルゴリズムとして、サーチと摂動法とから構成される例を示した。
【００５５】
まず、ステップＳ１より制御フローを開始し、ステップＳ２で図４に示された制御電圧を段階的若しくは徐々に変える。ステップＳ３においてデジタル信号復調部１０で得られる各ブランチの受信電力情報、遅延プロファイル情報、雑音情報、及び、ダイバーシチ合成後の雑音情報、誤り情報を採取し、受信状態を確認する。ステップＳ４でサーチが完了したかどうか判断する。サーチが完了していない場合は、ステップＳ１に戻る。サーチが完了した場合は、ステップＳ５で最も良い条件のポイントに制御値を初期値設定する。
【００５６】
次に、ステップＳ６において、デジタル信号復調部１０の各情報を取得し、取得された受信状態を記憶Ａとして記憶しておく。続いて、ステップＳ７において、制御電圧を既に設定されている値に対して＋δを加えることで微小量δだけ増やす。次に、ステップＳ８において、デジタル信号復調部１０の各情報を取得し、取得された受信状態を記憶Ｂとして記憶しておく。
【００５７】
次に、ステップＳ９において、制御値を既に設定されている値に対して−δを加えることで微小量δだけ減らす。次に、ステップＳ１０において、デジタル信号復調部１０の各情報を取得し、取得された受信状態を記憶Ｃとして記憶しておく。
【００５８】
次に、ステップＳ１１において、記憶された記憶Ａ、記憶Ｂ、及び、記憶Ｃを比較する。ステップＳ１２において、比較した結果に基づいて、さらに受信状態の良いと推定されるポイントを次の初期設定とした後、ステップＳ６に戻る。ステップＳ６〜Ｓ１２をループにして繰り返すことにより、より良い受信状態となるように制御値を設定する方法は、摂動法と呼ばれる制御方式である。この摂動法以外にも、雑音や誤り情報によるＬＭＳ（Ｌｅａｓｔ  Ｍｅａｎ  Ｓｑｕａｒｅ）アルゴリズムによる追従方式でも同様の効果が得られる。
【００５９】
以上のような制御フローを行うことで、各ブランチの受信感度の指向性は互いに略π／２のオフセットを保ちつつ、受信状態を最良の場所へ追い込むことができる。
【００６０】
また、上記のような摂動法やＬＭＳアルゴリズムのトラッキングを行っている際に、例えば、デジタル信号復調部１０に入力される第１の加算受信信号ないしは第２の加算受信信号のうち、いずれか一方である例えば第１の加算受信信号が外来雑音やフェージングにより急激に劣化した場合、ＯＦＤＭ復調回路６ａから得られる受信電力情報、遅延プロファイル情報、及び、雑音情報を元に、劣化したブランチの側のここでは可変利得器２ａ及び可変利得器２ｂを制御して、アンテナ１ａ及びアンテナ１ｂの利得を零として切り離してしまい、劣化していない側の第２のブランチの第２の加算受信信号のみをデジタル信号復調部１０に入力するようにすることで、ダイバーシチ合成後の受信状態を回復させることができる。
【００６１】
なお、以上では、例えば、アンテナ１ａの受信感度の指向性パターンがテレビの左右方向でアンテナ１ｂの受信感度の指向性パターンがテレビの前後方向であるというように、ブランチ内のアンテナが互いに略直角方向となるように配置した場合を説明したが、略直角方向でなくても、互いに異なる指向性パターンを有していれば効果を得ることができる。
【００６２】
以上のように、この発明に係るダイバーシチ受信装置の実施の形態１においては、複数の第１のアンテナの各々に対応して複数の第１の可変利得器を設けるとともに、複数の第２のアンテナの各々に対応して複数の第２の可変利得器を設けるようにし、複数の第１のアンテナに基づく受信感度の指向性パターンの方位と複数の第２のアンテナに基づく受信感度の指向性パターンの方位とを制御するように構成したので、テレビに内蔵したアンテナが近接して配置された場合でも、高いダイバーシチゲインを得ることができる。
【００６３】
なお、第１のブランチの第１の加算受信信号の受信感度の指向性パターンの方位と第２のブランチの第２の加算受信信号の受信感度の指向性パターンの方位とが互いに異なる方向となるように、アンテナ制御信号生成部９が、第１のブランチの可変利得器２ａ及び可変利得器ｂと第２のブランチの可変利得器２ｃ及び可変利得器２ｄとを制御すれば、高いダイバーシチゲインを得ることができる。この場合、各指向性パターンの方位の差が略π／２となるように制御することにより、極めて高いダイバーシチゲインを得ることができる。
【００６４】
また、各指向性パターンの方位の差がπ／２±π／４の範囲内であれば、屋内にテレビを設置した場合に、実用上は問題とならないレベルのダイバーシチゲインを確保できる。
【００６５】
また、各指向性パターンの方位の差がπ／２±π／８の範囲内にすることができれば、実用上、マージンを持って高いダイバーシチゲインを確保できる。
【００６６】
なお、以上では、複数のアンテナのそれぞれに可変利得器を設け、可変利得器の出力を加算器で加算する構成を複数設けてダイバーシチ合成する場合について説明したが、可変利得器の代わりに可変位相器を設け、可変位相器の出力を加算器で加算する構成を複数設けてダイバーシチ合成するようにしても、同様の効果を得ることが可能である。
【００６７】
実施の形態２．
この発明に係るダイバーシチ受信装置の実施の形態１では、アンテナの受信感度が８の字の指向性パターンを有している場合について説明したが、アンテナの受信感度が１つの向きのみである指向性アンテナであっても良い。
【００６８】
図７は、アンテナとして指向性アンテナを用いた場合のこの発明に係るダイバーシチ受信装置の実施の形態２をテレビに組み込んだ構成の一例を示しており、テレビの背面側から見た斜視図である。なお、図１及び図２と同一符号は同一または相当部分を示すので説明を省略する。
【００６９】
図７に示すように、テレビの背面側から見て、第１のブランチのアンテナ１ｅは、テレビの右側面に、受信感度の指向性パターン１２ｅが図７において右向きとなるように、設置されている。従って、アンテナ１ｅは、図７において、右から左の向きに伝搬する地上デジタル放送の電波に対しては大きな受信感度を有しているが、左から右の向きに伝搬する地上デジタル放送の電波に対しては極めて小さい受信感度しか有していない。
【００７０】
また、第１のブランチのアンテナ１ｆは、テレビの背面右側に、受信感度の指向性パターン１２ｆが、図７において手前の向きとなるように設置されている。従って、アンテナ１ｆは、図７において、背面側から前面側に伝搬する地上デジタル放送の電波に対して大きな受信感度を有しているが、前面側から背面側に伝搬する地上デジタル放送の電波に対しては極めて小さい受信感度しか有していない。
【００７１】
さらに、テレビの背面側から見て、第２のブランチのアンテナ１ｇは、テレビの背面左側に、受信感度の指向性パターン１２ｇが、図７において手前の向きとなるように設置されている。また、第２のブランチのアンテナ１ｈは、テレビの左側面に、受信感度の指向性パターン１２ｈが、図７において左向きとなるように設置されている。
【００７２】
なお、アンテナ１ｅ及びアンテナ１ｈは、それぞれテレビの側面の内部ないしは外部のいずれに設けられても良い。また、アンテナ１ｆ及びアンテナ１ｇは、それぞれテレビの背面の内部ないしは外部のいずれに設けられても良い。さらに、アンテナ１ｅ、アンテナ１ｈ、アンテナ１ｆ、及び、アンテナ１ｇのいずれも、地面に対して水平方向に配置されている。
【００７３】
図８は、アンテナ制御信号生成部９から出力されるアンテナ制御信号により、アンテナの受信感度の指向性パターンが変化する様子を説明するための受信感度の指向性パターン変化説明図である。図８（ａ）は、第１のブランチのアンテナ１ｅ及びアンテナ１ｆが形成する受信感度の指向性パターンの動きを示している。図８（ｂ）は、第２のブランチのアンテナ１ｇ及びアンテナ１ｈが形成する受信感度の指向性パターンの動きを示している。図８の上下の向きが、図７に示されたテレビの背面側から見た前後の向きにそれぞれ対応している。また、図８の左右の向きが、図７に示されたテレビの背面側から見た左右の向きにそれぞれ対応している。
【００７４】
次に、この発明に係るダイバーシチ受信装置の実施の形態２を組み込んだテレビにおいて、該ダイバーシチ受信装置の動作について、図７及び図８を用いて説明する。
【００７５】
可変利得器２ａにより利得が制御されたアンテナ１ｅと可変利得器２ｂにより利得が制御されたアンテナ１ｆとから構成され、加算器３ａから出力される第１のブランチの第１の加算受信信号の受信感度の指向性パターンは、図８（ａ）の方位を向いているとする。その場合に、可変利得器２ｃにより利得が制御されたアンテナ１ｇと可変利得器２ｄにより利得が制御されたアンテナ１ｈとから構成され、加算器３ｂから出力される第２のブランチの第２の加算受信信号の受信感度の指向性パターンは、図８（ｂ）に示すように、第１のブランチの第１の加算受信信号の受信感度の指向性パターンの方位と略π／２（９０°）のオフセットを有している。
【００７６】
図４に示された制御電圧を増やすことにより、第１のブランチの第１の加算受信信号の受信感度の指向性パターンは、図８（ａ）の矢印が示すように、右回りに回り、同様に、第２のブランチの第２の加算受信信号の受信感度の指向性パターンも、図８（ｂ）の矢印が示すように、右回りに回る。その際、第１のブランチの第１の加算受信信号の受信感度の指向性パターンの方位と第２のブランチの第２の加算受信信号の受信感度の指向性パターンの方位とのオフセットは、略π／２（９０°）のままで維持されている。
【００７７】
以上のように、各ブランチの受信感度の指向性パターンが互いに直交するように制御することにより、ダイバーシチ合成後の利得が向上し、安定した受信を実現できる。
【００７８】
なお、以上では、アンテナの受信感度が１つの向きのみである指向性アンテナを用いた場合について説明したが、無指向性アンテナを用いても、水平面に地上デジタル放送の電波を遮断する遮断物の働きをする、例えば、液晶パネルや電気回路やシールドケース等があるテレビ内部では、指向性が生じることとなるため、同様の効果が実現できる。
【００７９】
実施の形態３．
この発明に係るダイバーシチ受信装置の実施の形態１及び実施の形態２においては、複数のアンテナの各々の利得を制御するそれぞれの可変利得器と、各可変利得器の出力を加算する加算器とを備えるブランチを複数有し、これらのブランチの復調信号をダイバーシチ合成するようになっている。ここで、ブランチを、可変利得器と加算器とを備える構成に代えて、複数のアンテナの受信信号を固定位相で合成して複数の位相合成信号を出力する位相合成回路と複数の位相合成信号のうちから１つの位相合成信号を選択する選択回路とを備える構成にしても、ダイバーシチ合成後の利得を向上させ、安定した受信を実現することが可能である。
【００８０】
図９は、この発明に係るダイバーシチ受信装置の実施の形態３の全体構成を示す全体構成図である。なお、図１と同一符号は同一または相当部分を示すので説明を省略する。
【００８１】
図９において、第２のブランチは、実施の形態１及び実施の形態２のダイバーシチ受信装置と同様の構成となっている。
【００８２】
それに対して、第１のブランチは、複数のアンテナとして、例えば、アンテナ１ｉ、アンテナ１ｊ、アンテナ１ｋ、及び、アンテナ１ｌを備え、各アンテナで受信された出力信号は、各出力信号を固定位相で合成する、例えば、バトラーマトリクス回路のような位相合成回路２１ａに入力される。位相合成回路２１ａは、複数の位相合成信号を出力する。
【００８３】
位相合成回路２１ａから出力された複数の位相合成信号のうち、１つの位相合成信号が選択回路２２ａで選択され、チューナ部４ａ、ＡＤ変換器５ａ、及び、ＯＦＤＭ復調回路６ａで復調され、第２のブランチのＯＦＤＭ復調回路６ｂからの出力とともに、ダイバーシチ合成回路７に入力される。
【００８４】
また、アンテナ制御信号生成部９から出力されたアンテナ制御信号は、第２のブランチの可変利得器２ｃ及び可変利得器２ｄに入力されるとともに、第１のブランチの選択回路２２ａにも入力される。
【００８５】
図１０は、アンテナ１ｉ、アンテナ１ｊ、アンテナ１ｋ、及び、アンテナ１ｌとして、受信感度が８の字の指向性パターンを有する等長のダイポールアンテナを用い、位相合成回路２１ａとして、４入力４出力のバトラーマトリクスを用いた場合の位相合成回路２１ａの４つの出力の受信感度の指向性パターンの一例を示す指向性パターン図である。位相合成回路２１ａから出力される４つの位相合成信号の受信感度の指向性パターンであるパターンＩ、パターンＩＩ、パターンＩＩＩ、及び、パターンＩＶが示されている。
【００８６】
図１１は、この発明に係るダイバーシチ受信装置の実施の形態３をテレビに組み込んだ構成の一例を示しており、テレビの背面側から見た斜視図である。なお、図２及び図７と同一符号は同一または相当部分を示すので説明を省略する。
【００８７】
図１１に示すように、テレビの背面側から見て、第１のブランチのアンテナ１ｉ、アンテナ１ｊ、アンテナ１ｋ、及び、アンテナ１ｌは、いずれも受信感度の指向性パターンが左右の向きとなるように平行に並べてテレビの天板１１ａにアレイ状で等間隔に設置されている。
【００８８】
なお、アンテナ１ｉ、アンテナ１ｊ、アンテナ１ｋ、及び、アンテナ１ｌは、テレビの天板１１ａの内部ないしは外部のいずれに設けられても良い。また、アンテナ１ｉ、アンテナ１ｊ、アンテナ１ｋ、及び、アンテナ１ｌのいずれも、地面に対して水平方向に配置されている。
【００８９】
図１２は、図９に示されたアンテナ制御信号生成部９から出力されるアンテナ制御信号により、アンテナの受信感度の指向性パターンが変化する様子を説明するための受信感度の指向性パターン変化説明図である。図１２（ａ）は、第１のブランチのアンテナ１ｉ、アンテナ１ｊ、アンテナ１ｋ、及び、アンテナ１ｌが形成する受信感度の指向性パターンの動きを示している。図１２（ｂ）は、第２のブランチのアンテナ１ｇ及びアンテナ１ｈが形成する受信感度の指向性パターンの動きを示している。図１２の左右の向きが、図１１に示されたテレビの背面側から見た左右の向きにそれぞれ対応している。
【００９０】
次に、この発明に係るダイバーシチ受信装置の実施の形態３を組み込んだテレビにおいて、該ダイバーシチ受信装置の動作について、図９、図１０、図１１、及び、図１２を用いて説明する。
【００９１】
位相合成回路２１ａは、ここでは、４入力４出力のバトラーマトリクス回路を用いている。本来のバトラーマトリクス回路は、信号を入力するポートの位置によって出力側における隣接ポート間の位相差が変化することから、信号を給電する位置によって異なる方向に指向したビームを形成可能なアンテナ用のビーム形成回路として用いられるものであり、その場合には、ケーブルによる位相差を考慮する必要がある。しかし、この発明に係るダイバーシチ受信装置の実施の形態３においては、位相合成回路２１ａは、固定位相で合成することが目的であるので、ケーブルの位相差については無視する。
【００９２】
アンテナ１ｉ、アンテナ１ｊ、アンテナ１ｋ、及び、アンテナ１ｌで受信された各受信信号が入力された位相合成回路２１ａからは、図１０に示すような、受信感度がそれぞれパターンＩ、パターンＩＩ、パターンＩＩＩ、及び、パターンＩＶの指向性パターンを有する４つの位相合成信号が出力される。図１０から明らかなように、各指向性パターンの方位は、互いに異なっている。このように、ダイポールアンテナの指向性特性により、４方向の指向性パターンを実現できる。また、バトラーマトリクス回路を用いることにより、それらのパターンを細くして指向性を強めることができる。
【００９３】
図１２（ａ）は、図１０に示す位相合成回路１１から出力される４つの位相合成信号が有するそれぞれ４方向の指向性パターンを分かりやすく模式的に表わしている。図１２（ａ）においては、パターンＡ１、パターンＢ１、パターンＣ１、及び、パターンＤ１と４方向の指向性パターンが表わされている。アンテナ制御信号生成部９からのアンテナ制御信号に基づいて、選択回路２２ａは、これらのうちの１つを選択する。選択された位相合成信号は、チューナ部４ａ、ＡＤ変換器４ａ、及び、ＯＦＤＭ復調回路６ａを経て復調され、ダイバーシチ合成回路７に入力される。
【００９４】
一方、第２のブランチの第２の加算受信信号の受信感度の指向性パターンは、図１２（ｂ）に示すように、第１のブランチの選択回路２２で選択された位相合成信号の指向性パターンがパターンＡ１である場合は、パターンＡ２となるようにアンテナ制御信号生成部９から出力されるアンテナ制御信号に基づいて制御される。
【００９５】
同様に、第１のブランチの選択回路２２ａで選択された位相合成信号の指向性パターンがパターンＢ１である場合は、第２のブランチの第２の加算受信信号の受信感度の指向性パターンはパターンＢ２、前者がパターンＣ１である場合は、後者はパターンＣ２、前者がパターンＤ１である場合は、後者はパターンＤ２となるように、第２のブランチの第２の加算受信信号の受信感度の指向性パターンは制御される。
【００９６】
従って、図１２（ａ）と図１２（ｂ）を比較するとわかるように、第１のブランチの選択回路２２ａで選択された位相合成信号の指向性パターンの方位と第２のブランチの第２の加算受信信号の受信感度の指向性パターンの方位とのオフセットは、略π／２（９０°）のままで維持されている。
【００９７】
以上のように、各ブランチの受信感度の指向性パターンが互いに直交するように制御することにより、ダイバーシチ合成後の利得が向上し、安定した受信を実現できる。
【００９８】
次に、この発明に係るダイバーシチ受信装置の実施の形態３の制御フローについて説明する。
【００９９】
図１３は、この発明に係るダイバーシチ受信装置の実施の形態３の制御フローである。実施の形態３のダイバーシチ受信装置においては、第２のブランチは可変利得器と加算器との組合せを備えるが、第１のブランチは位相合成回路２１ａと選択回路２２ａとの組合せを備えている。従って、実施の形態３の制御フローは、実施の形態１の制御フローと異なっている。
【０１００】
まず、ステップＳ２１より制御フローを開始し、ステップＳ２２で図１１に示す４入力４出力の位相合成回路２１ａの４出力（Ｎ＝０〜３）のうちのいずれかの出力のみが接続されるように選択回路２２ａが特定のアンテナを選択する。
【０１０１】
次に、ステップＳ２３において、選択された位相合成回路２１ａの特定の出力がデジタル信号復調部１０に入力された状態で、デジタル信号復調部１０で得られる第１のブランチの受信電力情報、雑音情報、遅延プロファイル情報を採取し、受信状態を確認する。
【０１０２】
次に、ステップＳ２４でサーチが完了したかどうか判断する。実施の形態３の一例では位相合成回路２１ａの出力は４つあるので、Ｎの値は０〜３の値が順に設定されて完了する。サーチが完了していない場合は、ステップＳ２２に戻る。サーチが完了した場合は、ステップＳ２５で、サーチの結果に基づいて最良受信状態であった位相合成回路２１ａの出力Ｎが、選択回路２２ａにより選択設定される。
【０１０３】
位相合成回路２１ａはアンテナの受信感度の指向性パターンを細くすることができ、特定の向きから到来する地上デジタル放送の電波のみを効果的に受信できるので、ＳＦＮ（Ｓｉｎｇｌｅ  Ｆｒｅｑｕｅｎｃｙ  Ｎｅｔｗｏｒｋ）や山岳反射等による長遅延パスが存在する場合、実施の形態３のダイバーシチ受信装置は特に有効である。
【０１０４】
次に、ステップＳ２６において、第１のブランチの受信感度の指向性パターンの方位に対して、第２のブランチの受信感度の指向性パターンの方位が略π／２のオフセットを有するように、第２のブランチの可変利得器２ｃ及び可変利得器２ｄの制御電圧を初期設定する。
【０１０５】
さらに、ステップＳ２７では、第１のブランチの受信感度の指向性パターンの方位が変化した場合に、第２のブランチの可変利得器２ｃ及び可変利得器２ｄの制御電圧を可変して、第１のブランチの受信感度の指向性パターンの方位と第２のブランチの受信感度の指向性パターンの方位とが略π／２のオフセットを保持するように自動追従させる。
【０１０６】
次に、ステップＳ２８では、デジタル信号復調部１０で得られる各ブランチの受信電力情報、遅延プロファイル情報、雑音情報、及び、ダイバーシチ合成後の雑音情報、誤り情報を採取し、受信状態を確認する。
【０１０７】
ステップＳ２９においては、ステップＳ２８で得られた各情報に基づいて、受信異常または制御範囲の逸脱が発生していないかどうかを判断し、発生していない場合は、ステップＳ２７に戻る。なお、発生している場合は、ステップＳ３０において、第１のブランチの選択回路２１ａによって現在選択されている位相合成回路２２ａの出力Ｎを別の出力Ｎ±１に変更する。
【０１０８】
さらに、ステップＳ３１で、デジタル信号復調部１０で得られる各情報を取得した上で、これらの各情報に基づいて、受信異常または制御範囲の逸脱が発生していないかどうかを判断し、発生していない場合は、ステップＳ２７に戻る。なお、発生している場合は、ステップＳ２１に戻って一連の制御フローを始めから行う。
【０１０９】
以上に説明した制御フローにおいても、制御アルゴリズムとして摂動法やＬＭＳアルゴリズムが有効に動作する。
【０１１０】
以上のように、この発明に係るダイバーシチ受信装置の実施の形態３は、複数のブランチのうちのいずれかのブランチは、複数のアンテナの出力信号を固定位相で合成して複数の位相合成信号を出力する位相合成回路と複数の位相合成信号のうちから１つの位相合成信号を選択する選択回路とを備える構成としたので、ダイバーシチ合成後の利得を向上させ、安定した受信を実現することが可能である。さらに、位相合成回路を用いて受信感度の指向性パターンを細くすることができるので、妨害に強く、特に、長遅延パスが存在する場合に効果的である。
【０１１１】
なお、以上では、位相合成回路と選択回路との組合せを備える第１のブランチにおける選択回路の制御を先に行ない、その後に可変利得器と加算器との組合せを備える第２のブランチにおける可変利得器の制御電圧を制御するようにした。しかし、先に第２のブランチの制御を行って、その後に第１のブランチにおける選択回路がオフセットがπ／２に最も近い位相合成器の出力を選択するようにしても、同様の効果を得ることができる。
【０１１２】
実施の形態４．
この発明に係るダイバーシチ受信装置の実施の形態３においては、第１のブランチを受信感度が８の字の指向性パターンを有する等長の４台のダイポールアンテナをテレビの天板に等間隔で平行に設置し、これらのアンテナの出力信号を４入力４出力の位相合成回路に入力して、位相合成回路の出力を選択回路で選択するように構成された場合を説明した。それに対して、第１のブランチのアンテナとして受信感度が１つの向きのみである指向性アンテナを複数用い、これらのアンテナをテレビの天板に互いに異なる方位となるように配置し、これらのアンテナで受信された各出力信号のいずれかを選択回路で選択する構成とすれば、ダイバーシチ合成後の利得を向上できるだけでなく、部品点数が少なくて済み、組立てが容易で低価格なダイバーシチ受信装置を実現できる。
【０１１３】
図１４は、この発明に係るダイバーシチ受信装置の実施の形態４をテレビに組み込んだ構成の一例を示しており、テレビの背面側から見た斜視図である。なお、図２、図７、及び、図１１と同一符号は同一または相当部分を示すので説明を省略する。
【０１１４】
図１４に示すように、テレビの背面側から見て、第１のブランチのアンテナ１ｍ、アンテナ１ｎ、アンテナ１ｐ、及び、アンテナ１ｑは、受信感度の指向性パターンの方位が互いに異なるように、テレビの天板１１ａに配置されている。
【０１１５】
具体例としては、図１４において前後方向における手前の向きを基準にすると、アンテナ１ｍの受信感度の指向性パターンの方位は基準と０（０°）の向き、アンテナ１ｎの場合はπ／６（３０°）の向き、アンテナ１ｐの場合はπ／３（６０°）の向き、アンテナ１ｑの場合はπ／２（９０°）の向きに配置されている。
【０１１６】
アンテナ１ｍ、アンテナ１ｎ、アンテナ１ｐ、及び、アンテナ１ｑで受信された出力信号は、選択回路２２ａで選択され、デジタル信号復調部１０に入力される。
【０１１７】
なお、アンテナ１ｍ、アンテナ１ｎ、アンテナ１ｐ、及び、アンテナ１ｑは、テレビの天板１１ａの内部ないしは外部のいずれに設けられても良い。また、アンテナ１ｍ、アンテナ１ｎ、アンテナ１ｐ、及び、アンテナ１ｑのいずれも、地面に対して水平方向に配置されている。
【０１１８】
実施の形態４のダイバーシチ受信装置は、実施の形態３のダイバーシチ受信装置と第１のブランチのアンテナの指向性パターンの特性、アンテナの配置、及び、位相合成器の有無が異なるだけであり、動作及び制御フローについては同様である。
【０１１９】
以上のように、アンテナとして指向性アンテナを用いることで位相合成器を不要としたので、ダイバーシチ合成後の利得を向上できるだけでなく、部品点数が少なくて済み、組立てが容易で低価格なダイバーシチ受信装置を実現できる。
【０１２０】
実施の形態５．
この発明に係るダイバーシチ受信装置の実施の形態３においては、第１のブランチを受信感度が８の字の指向性パターンを有する等長の４台のダイポールアンテナをテレビの天板に等間隔で平行に設置し、これらのアンテナの出力信号を４入力４出力の位相合成回路に入力して、位相合成回路の出力を選択回路で選択するように構成された場合を説明した。なお、実施の形態３においては、第２のブランチは、実施の形態１及び実施の形態２のダイバーシチ受信装置と同様に、複数のアンテナの各々の利得を制御するそれぞれの可変利得器と、各可変利得器の出力を加算する加算器とを備えるようにしていた。
【０１２１】
それに対して、第２のブランチを、第１のブランチと同様に、受信感度が８の字の指向性パターンを有する等長の４台のダイポールアンテナをテレビの天板に等間隔で平行に設置し、これらのアンテナの出力信号を４入力４出力の位相合成回路に入力して、位相合成回路の出力を選択回路で選択するように構成しても良い。
【０１２２】
図１５は、この発明に係るダイバーシチ受信装置の実施の形態５をテレビに組み込んだ構成の一例を示しており、テレビの背面側から見た斜視図である。なお、図２、図７、図１１、及び、図１４と同一符号は同一または相当部分を示すので説明を省略する。
【０１２３】
第２のブランチのアンテナ１ｒ、アンテナ１ｓ、アンテナ１ｔ、及び、アンテナ１ｕは、第１のブランチのアンテナ１ｉ、アンテナ１ｊ、アンテナ１ｋ、及び、アンテナ１ｌと同様に、いずれも受信感度が８の字の指向性パターンを有する等長のダイポールアンテナである。図１５に示すように、テレビの背面側から見て、第２のブランチの各アンテナは、第１のブランチの各アンテナと異なる位置に、テレビの天板１１ａに等間隔で平行に配置されている。
【０１２４】
位相合成回路２１ｂの固定位相は、位相合成回路２１ａの固定位相と略π／２だけ位相が異なるように設定されている。さらに、アンテナ制御信号生成部９から出力されるアンテナ制御信号に基づいて、第１のブランチの選択回路２２ａ及び第２のブランチの選択回路２２ｂは、位相合成回路２２ａから出力された位相合成信号のうちで選択回路２２ａで選択された特定の位相合成信号の受信感度の指向性パターンの方位と位相合成回路２２ｂから出力された位相合成信号のうちで選択回路２２ｂで選択された特定の位相合成信号の受信感度の指向性パターンの方位との差がπ／２に最も近くなるように、制御される。
【０１２５】
この発明に係るダイバーシチ受信装置の実施の形態５は、以上のように構成されているので、ダイバーシチ合成後の利得を向上させ、安定した受信を実現することが可能である。さらに、位相合成回路を用いて受信感度の指向性パターンを細くすることができるので、妨害に強く、特に、長遅延パスが存在する場合に効果的である。
【０１２６】
実施の形態６．
この発明に係るダイバーシチ受信装置の実施の形態５においては、第１のブランチと第２のブランチのいずれもが、受信感度が８の字の指向性パターンを有する等長の４台のダイポールアンテナをテレビの天板に等間隔で平行に設置し、これらのアンテナの出力信号を４入力４出力の位相合成回路に入力して、位相合成回路の出力を選択回路で選択するように構成された場合を説明した。
【０１２７】
それに対して、第１のブランチは、受信感度が８の字の指向性パターンを有する等長の４台のダイポールアンテナをテレビの天板に等間隔で平行に設置し、これらのアンテナの出力信号を４入力４出力の位相合成回路に入力して、位相合成回路の出力を選択回路で選択するようにし、第２のブランチは、受信感度が１つの向きのみである指向性アンテナを複数用い、これらのアンテナをテレビの天板に互いに異なる方位となるように配置し、これらのアンテナの出力信号を選択回路で選択する構成としても良い。
【０１２８】
図１６は、この発明に係るダイバーシチ受信装置の実施の形態６をテレビに組み込んだ構成の一例を示しており、テレビの背面側から見た斜視図である。なお、図２、図７、図１１、図１４、及び、図１５と同一符号は同一または相当部分を示すので説明を省略する。
【０１２９】
図１６において、第１のブランチのアンテナ１ｉ、アンテナ１ｊ、アンテナ１ｋ、及び、アンテナ１ｌは、いずれも受信感度が８の字の指向性パターンを有する等長のダイポールアンテナである。図１６に示すように、第１のブランチの各アンテナは、テレビの背面側から見て、テレビの天板１１ａの右側に、等間隔で平行に設置されている。
【０１３０】
また、第２のブランチのアンテナ１ｖ、アンテナ１ｗ、アンテナ１ｘ、及び、アンテナ１ｙは、いずれも受信感度が１つの向きのみである指向性アンテナである。第２のブランチの各アンテナは、受信感度の指向性パターンの方位が互いに異なるように、テレビの天板１１ａの左側に配置されている。
【０１３１】
アンテナ制御信号生成部９から出力されるアンテナ制御信号に基づいて、第１のブランチの選択回路２２ａ及び第２のブランチの選択回路２２ｂは、選択回路２２ａで選択されたアンテナの出力信号の受信感度の指向性パターンの方位と選択回路２２ｂで選択されたアンテナから出力された出力信号の受信感度の指向性パターンの方位との差がπ／２に最も近くなるように、制御される。
【０１３２】
この発明に係るダイバーシチ受信装置の実施の形態６は、以上のように構成されているので、ダイバーシチ合成後の利得を向上できるだけでなく、第２のブランチの位相合成回路が不要となって、部品点数が少なくて済み、組立てが容易で低価格なダイバーシチ受信装置を実現できる。
【０１３３】
実施の形態７．
この発明に係るダイバーシチ受信装置の実施の形態６においては、第１のブランチは、受信感度が８の字の指向性パターンを有する等長の４台のダイポールアンテナをテレビの天板に等間隔で平行に設置し、これらのアンテナの受信信号を４入力４出力の位相合成回路に入力して、位相合成回路の出力を選択回路で選択するようにし、第２のブランチは、受信感度が１つの向きのみである指向性アンテナを複数用い、これらのアンテナをテレビの天板に互いに異なる方位となるように配置し、これらのアンテナで受信された各受信信号のいずれかをそれぞれのブランチの選択回路で選択する構成とする場合を説明した。
【０１３４】
それに対して、第１のブランチのアンテナ及び第２のブランチのアンテナのいずれにおいても、受信感度が１つの向きのみである指向性アンテナを複数用い、これらのアンテナをテレビの天板に互いに異なる方位となるように配置し、これらのアンテナで受信された各受信信号のいずれかをそれぞれのブランチの選択回路で選択する構成とすれば、ダイバーシチ合成後の利得を向上できるだけでなく、位相合成回路が全く不要となって、さらに部品点数が少なくて済み、組立てが容易で低価格なダイバーシチ受信装置を実現できる。
【０１３５】
図１７は、この発明に係るダイバーシチ受信装置の実施の形態７をテレビに組み込んだ構成の一例を示しており、テレビの背面側から見た斜視図である。なお、図２、図７、図１１、図１４、図１５、及び、図１６と同一符号は同一または相当部分を示すので説明を省略する。
【０１３６】
図１７において、第１のブランチのアンテナ１ｍ、アンテナ１ｎ、アンテナ１ｐ、及び、アンテナ１ｑと、第２のブランチのアンテナ１ｖ、アンテナ１ｗ、アンテナ１ｘ、及び、アンテナ１ｙは、いずれも受信感度が１つの向きのみである指向性アンテナである。
【０１３７】
図１７に示すように、テレビの背面側から見て、第１のブランチの各アンテナのいずれも、受信感度の指向性パターンの方位が互いに異なるように、テレビの天板１１ａの右側に配置されている。また、第２のブランチの各アンテナのいずれも、受信感度の指向性パターンの方位が互いに異なるように、テレビの天板１１ａの左側に配置されている。
【０１３８】
アンテナ制御信号生成部９から出力されるアンテナ制御信号に基づいて、第１のブランチの選択回路２２ａ及び第２のブランチの選択回路２２ｂは、第１のブランチの各アンテナの出力信号のうちで選択回路２２ａで選択された特定のアンテナの出力信号の受信感度の指向性パターンの方位と第２のブランチの各アンテナの出力信号のうちで選択回路２２ｂで選択された特定のアンテナの出力信号の受信感度の指向性パターンの方位との差がπ／２に最も近くなるように、制御される。
【０１３９】
この発明に係るダイバーシチ受信装置の実施の形態７は、以上のように構成されているので、ダイバーシチ合成後の利得を向上できるだけでなく、位相合成回路が全く不要となって、さらに部品点数が少なくて済み、組立てが容易で低価格なダイバーシチ受信装置を実現できる。
【０１４０】
実施の形態８．
この発明に係るダイバーシチ受信装置の実施の形態１乃至７においては、アンテナは全て地面に対して水平方向に配置されている。これは、テレビ番組を放送する地上デジタル放送の電波が水平偏波であることによる。しかし、屋内で受信する場合、窓の開口、壁の反射、部屋の大きさ等の要因により、到来する地上デジタル放送の電波の偏波面は変化し、垂直偏波成分も出現する。屋内の定在波の位置関係によっては水平偏波よりも垂直偏波の方が強い場所が生じることさえある。そこで、アンテナが水平偏波と垂直偏波の両方を受信できるように、アンテナを水平方向から傾けて配置すれば、ダイバーシチゲインを向上することが可能となる。
【０１４１】
図１８は、この発明に係るダイバーシチ受信装置の実施の形態８をテレビに組み込んだ構成の一例を示しており、テレビの背面側から見た斜視図である。なお、図２、図７、図１１、図１４、図１５、図１６、及び、図１７と同一符号は同一または相当部分を示すので説明を省略する。
【０１４２】
図１８に示すように、テレビの背面側から見て、第１のブランチのアンテナ２３ａ、アンテナ２３ｂ、アンテナ２３ｃ、及び、アンテナ２３ｄは、いずれも受信感度の指向性パターンが左右の向きとなるように平行に並べてテレビの天板１１ｅにアレイ状で等間隔に設置されている。なお、天板１１ｅは、実施の形態１乃至７において説明したテレビの天板１１ａとは異なり、図１８において地面に対する水平面から背面側が低くなるように、角度φ傾いている。従って、アンテナ２３ａ、アンテナ２３ｂ、アンテナ２３ｃ、及び、アンテナ２３ｄは、水平面に対して角度φの傾きを有している。この点以外は、実施の形態３において説明したダイバーシチ受信装置を組み込んだテレビと同様である。
【０１４３】
従って、アンテナ２３ａ、アンテナ２３ｂ、アンテナ２３ｃ、及び、アンテナ２３ｄは、地上波デジタル放送の電波の偏波面が変化すること無しに到来した水平偏波だけでなく、上記の理由で地上デジタル電波の偏波面が変化することにより生じた垂直偏波についても受信可能であるので、テレビが屋内の垂直偏波の強い場所に置かれるようなことがあっても、受信性能を改善することができる。
【０１４４】
図１９は、図１８に示された第１のブランチの４入力４出力の位相合成回路２１の４つの出力の受信感度の指向性パターンの一例を示す指向性パターン図である。図１９（ａ）は水平偏波の電波を受信した場合で、図１９（ｂ）は垂直偏波の電波を受信した場合を示している。また、図中の４種類の記号はそれぞれ位相合成回路２１ａの４つの出力に対応している。
【０１４５】
図１９（ａ）によれば、水平偏波の電波に対して指向性パターンが変化することが明らかである。また、図１９（ｂ）によれば、垂直偏波の電波に対して受信感度が確保でき、かつ、指向性パターンが変化することが明らかである。
【０１４６】
以上のように、アンテナを水平面から傾けて斜めに設置することにより、屋内の電波環境によっては、地上デジタル放送の電波の偏波面が変化して垂直偏波成分が強くなるような状態であっても、受信電力が確保でき、ダイバーシチゲインを向上できるダイバーシチ受信装置を実現できる。
【０１４７】
なお、以上では、第１のブランチのアンテナは、ダイポールアンテナや指向性アンテナである場合について説明したが、ヘリカルアンテナのような円偏波を受信できるアンテナを用いるようにしても良い。
【０１４８】
図２０は、第１のブランチのアンテナとして、ヘリカルアンテナを用いた場合のダイバーシチ受信装置をテレビに組み込んだ構成の一例を示しており、テレビの背面側から見た斜視図である。なお、図２、図７、図１１、図１４、図１５、図１６、図１７、及び、図１８と同一符号は同一または相当部分を示すので説明を省略する。
【０１４９】
第１のブランチのアンテナ２４ａ、アンテナ２４ｂ、アンテナ２４ｃ、及び、アンテナ２４ｄは、円偏波に対して受信感度を有するヘリカルアンテナである。
【０１５０】
以上のように、地上デジタル放送の電波が屋内の電波環境によって偏波面が変化することにより生じた円偏波の電波に対しても、受信感度を有するので、多用な屋内の電波環境にも対応してダイバーシチゲインを確保できるダイバーシチ受信装置を実現できる。
【０１５１】
なお、以上では、この発明に係るダイバーシチ受信装置がテレビに組み込まれる場合について説明したが、テレビ以外であっても、例えば、地上デジタル放送記録装置のように地上デジタル放送を受信する装置であれば、同様の効果が得られることは言うまでも無い。
【図面の簡単な説明】
【０１５２】
【図１】この発明に係るダイバーシチ受信装置の実施の形態１の全体構成を示す全体構成図である。
【図２】この発明に係るダイバーシチ受信装置の実施の形態１をテレビに組み込んだ構成の一例を示しており、テレビの背面側から見た斜視図である。
【図３】アンテナ制御信号生成部９から出力されるアンテナ制御信号により、アンテナの受信感度の指向性パターンが変化する様子を説明するための受信感度の指向性パターン変化説明図である。
【図４】アンテナ制御信号生成部９が可変利得器２ａ、可変利得器２ｂ、可変利得器２ｃ、及び、可変利得器２ｄの各々の利得を制御するための制御電圧と、それぞれに設定される利得との関係の一例を示す制御電圧−利得関係図である。
【図５】屋内受信実験においていずれのアンテナも地面に対して水平方向に配置された場合であって、スペクトルアナライザにより測定した所定周波数帯域（２５ｋＨｚ）当たりの受信電力に対し、受信電力がある電力値以下になる確率の累積分布特性図である。
【図６】この発明に係るダイバーシチ受信装置の実施の形態１の制御フローである。
【図７】アンテナとして指向性アンテナを用いた場合のこの発明に係るダイバーシチ受信装置の実施の形態２をテレビに組み込んだ構成の一例を示しており、テレビの背面側から見た斜視図である。
【図８】アンテナ制御信号生成部９から出力されるアンテナ制御信号により、アンテナの受信感度の指向性パターンが変化する様子を説明するための受信感度の指向性パターン変化説明図である。
【図９】この発明に係るダイバーシチ受信装置の実施の形態３の全体構成を示す全体構成図である。
【図１０】アンテナ１ｉ、アンテナ１ｊ、アンテナ１ｋ、及び、アンテナ１ｌとして、受信感度が８の字の指向性パターンを有する等長のダイポールアンテナを用い、位相合成回路２１として、４入力４出力のバトラーマトリクスを用いた場合の位相合成回路２１の４つの出力の受信感度の指向性パターンの一例を示す指向性パターン図である。
【図１１】この発明に係るダイバーシチ受信装置の実施の形態３をテレビに組み込んだ構成の一例を示しており、テレビの背面側から見た斜視図である。
【図１２】アンテナ制御信号生成部９から出力されるアンテナ制御信号により、アンテナの受信感度の指向性パターンが変化する様子を説明するための受信感度の指向性パターン変化説明図である。
【図１３】この発明に係るダイバーシチ受信装置の実施の形態３の制御フローである。
【図１４】この発明に係るダイバーシチ受信装置の実施の形態４をテレビに組み込んだ構成の一例を示しており、テレビの背面側から見た斜視図である。
【図１５】この発明に係るダイバーシチ受信装置の実施の形態５をテレビに組み込んだ構成の一例を示しており、テレビの背面側から見た斜視図である。
【図１６】この発明に係るダイバーシチ受信装置の実施の形態６をテレビに組み込んだ構成の一例を示しており、テレビの背面側から見た斜視図である。
【図１７】この発明に係るダイバーシチ受信装置の実施の形態７をテレビに組み込んだ構成の一例を示しており、テレビの背面側から見た斜視図である。
【図１８】この発明に係るダイバーシチ受信装置の実施の形態８をテレビに組み込んだ構成の一例を示しており、テレビの背面側から見た斜視図である。
【図１９】第１のブランチの４入力４出力の位相合成回路２１の４つの出力の受信感度の指向性パターンの一例を示す指向性パターン図である。
【図２０】第１のブランチのアンテナとして、ヘリカルアンテナを用いた場合のダイバーシチ受信装置をテレビに組み込んだ構成の一例を示しており、テレビの背面側から見た斜視図である。
【符号の説明】
【０１５３】
１ａ  アンテナ
１ｂ  アンテナ
１ｃ  アンテナ
１ｄ  アンテナ
１ｅ  アンテナ
１ｆ  アンテナ
１ｇ  アンテナ
１ｈ  アンテナ
１ｉ  アンテナ
１ｊ  アンテナ
１ｋ  アンテナ
１ｌ  アンテナ
１ｍ  アンテナ
１ｎ  アンテナ
１ｐ  アンテナ
１ｑ  アンテナ
１ｒ  アンテナ
１ｓ  アンテナ
１ｔ  アンテナ
１ｕ  アンテナ
１ｖ  アンテナ
１ｗ  アンテナ
１ｘ  アンテナ
１ｙ  アンテナ
２ａ  可変利得器
２ｂ  可変利得器
２ｃ  可変利得器
２ｄ  可変利得器
３ａ  加算器
３ｂ  加算器
７  ダイバーシチ合成回路
８  誤り訂正部
９  アンテナ制御信号生成部
１０  デジタル信号復調部
１２ａ  指向性パターン
１２ｂ  指向性パターン
１２ｃ  指向性パターン
１２ｄ  指向性パターン
２１ａ  位相合成回路
２１ｂ  位相合成回路
２２ａ  選択回路
２２ｂ  選択回路
２３ａ  アンテナ
２３ｂ  アンテナ
２３ｃ  アンテナ
２３ｄ  アンテナ
２４ａ  アンテナ
２４ｂ  アンテナ
２４ｃ  アンテナ
２４ｄ  アンテナ
【図１】
2008199453.tif 000003
【図２】
2008199453.tif 000004
【図３】
2008199453.tif 000005
【図４】
2008199453.tif 000006
【図５】
2008199453.tif 000007
【図６】
2008199453.tif 000008
【図７】
2008199453.tif 000009
【図８】
2008199453.tif 000010
【図９】
2008199453.tif 000011
【図１０】
2008199453.tif 000012
【図１１】
2008199453.tif 000013
【図１２】
2008199453.tif 000014
【図１３】
2008199453.tif 000015
【図１４】
2008199453.tif 000016
【図１５】
2008199453.tif 000017
【図１６】
2008199453.tif 000018
【図１７】
2008199453.tif 000019
【図１８】
2008199453.tif 000020
【図１９】
2008199453.tif 000021
【図２０】
2008199453.tif 000022